(57)【特許請求の範囲】
【請求項１】
複数のランプで構成されて光を発生するための発光手段と、前記発光手段から供給される光の輝度を向上させるための光調節手段とを含み、
前記複数のランプの各々は、前記複数のランプがそれぞれ相互に接続される第１電極と、外部から供給される駆動信号の入力を受ける第２電極とを具備し、
前記駆動信号はそれぞれ３６０度を前記複数のランプの個数で割った値に等しい位相差を有することを特徴とするバックライトアセンブリ。
【請求項２】
前記駆動信号は、前記複数のランプと同一の個数で構成されることを特徴とする請求項１に記載のバックライトアセンブリ。
【請求項３】
前記駆動信号は互いに異なる位相を有する少なくともＮ個（Ｎは２以上の整数）の駆動信号で構成されることを特徴とする請求項２に記載のバックライトアセンブリ。
【請求項４】
前記Ｎ個の駆動信号の各位相の和は０であることを特徴とする請求項３に記載のバックライトアセンブリ。
【請求項５】
直流成分の外部電源を交流成分に変換して前記互いに異なる位相を有するＮ個の駆動信号を発生するための駆動手段をさらに含むことを特徴とする請求項３に記載のバックライトアセンブリ。
【請求項６】
前記駆動手段は、前記発光手段を構成する前記複数のランプの個数と同一の個数のトランスフォーマで構成されることを特徴とする請求項５に記載のバックライトアセンブリ。
【請求項７】
前記複数ランプの電流を安定化するための安定化回路をさらに含むことを特徴とする請求項５または請求項６に記載のバックライトアセンブリ。
【請求項８】
前記複数のトランスフォーマの各々の２次側の低電圧側は、前記安定化回路に連結されることを特徴とする請求項７に記載のバックライトアセンブリ。
【請求項９】
前記複数のランプの電流を安定化するためのフィードバック電流は、前記複数のトランスフォーマの各々の前記２次側の低電圧側から前記安定化回路に供給されることを特徴とする請求項８に記載のバックライトアセンブリ。
【請求項１０】
複数のランプで構成されて光を発生するための発光手段と前記発光手段から供給される光の輝度を向上させるための光調節手段とを有するバックライトアセンブリと、前記光調節手段の上面に位置し、前記光調節手段を通じて前記発光手段からの光を受けて映像を表示するためのディスプレーユニットとを含み、前記複数のランプの各々は、前記複数のランプがそれぞれ相互に接続される第１電極と、外部から供給される駆動信号の入力を受ける第２電極とを具備し、前記駆動信号はそれぞれ３６０度を前記複数のランプの個数で割った値に等しい位相差を有することを特徴とする液晶表示装置。
【請求項１１】
前記駆動信号は、前記複数のランプと同一の個数で構成されることを特徴とする請求項１０記載の液晶表示装置。
【請求項１２】
前記駆動信号は互いに異なる位相を有する少なくともＮ個（Ｎは２以上の整数）の駆動信号で構成されることを特徴とする請求項１１に記載の液晶表示装置。
【請求項１３】
前記Ｎ個の駆動信号の各位相の和は０であることを特徴とする請求項１２に記載の液晶表示装置。
【請求項１４】
直流成分の外部電源を交流成分に変換して前記互いに異なる位相を有するＮ個の駆動信号を発生するための駆動手段をさらに含むことを特徴とする請求項１２に記載の液晶表示装置。
【請求項１５】
前記駆動手段は、前記発光手段を構成する前記複数のランプの個数と同一の個数のトランスフォーマで構成されることを特徴とする請求項１４に記載の液晶表示装置。
【請求項１６】
前記複数のランプの電流を安定化するための安定化回路をさらに含むことを特徴とする請求項１４または請求項１５に記載の液晶表示装置。
【請求項１７】
前記複数のトランスフォーマの各々の２次側の低電圧側は、前記安定化回路に連結されることを特徴とする請求項１６に記載の液晶表示装置。
【請求項１８】
前記複数のランプの電流を安定化するためのフィードバック電流は、前記複数のトランスフォーマ各々の前記２次側の低電圧側から前記安定化回路に供給されることを特徴とする請求項１７に記載の液晶表示装置。
【請求項１９】
前記発光手段は、前記光調節手段の一端に接して位置することを特徴とする請求項１０に記載の液晶表示装置。
【請求項２０】
前記光調節手段は、前記発光手段が位置する第一端から前記第一端に対向する第二端に進行するほど、その厚さが薄くなるくさび型導光板であることを特徴とする請求項１９に記載の液晶表示装置。
【請求項２１】
前記発光手段は、前記光調節手段の両端に接して位置し、前記光調節手段は、前記発光手段が位置する両端の厚さが同一なエッジ型導光板であることを特徴とする請求項１０に記載の液晶表示装置。
【請求項２２】
前記発光手段は、前記光調節手段の下部に位置することを特徴とする請求項１０に記載の液晶表示装置。
【請求項２３】
前記光調節手段は、前記発光手段から前記ディスプレーユニットに供給される光の輝度を均一にするための複数個の光学シートで構成されることを特徴とする請求項２２に記載の液晶表示装置。
【発明の詳細な説明】
【０００１】
【発明の属する技術分野】
本発明は液晶表示装置（以下では、ＬＣＤと称することもある）に関するものであり、より詳細には、液晶表示装置のバックライト用光源を提供するランプの電極線の連結構造を改善して液晶表示装置の大きさを最小化し、その製造費用を節減することができるバックライトアセンブリ及びこれを有する液晶表示装置に関するものである。
【０００２】
【従来の技術】
最近、情報処理機器は多様な形態、多様な機能、より高速の情報処理速度を有するように急速に発展されている。このような情報処理装置で処理される情報は電気信号の形態を有する。使用者が情報処理装置で処理される情報を目で確認するためにはインターフェース機能を有するディスプレー装置を必要とする。
【０００３】
最近、ＣＲＴ方式のディスプレー装置に比べて、軽量、小型でありながら、フル−カラー、高解像度具現などのような機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用したディスプレーである。
【０００５】
液晶表示装置は大きくＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分かれ、駆動方式の差異でスイッチング素子及びＴＮ液晶を利用したアクティブマトリックス（Ａｃｔｉｖｅ  ｍａｔｒｉｘ）表示方式とＳＴＮ液晶を利用したパッシブマトリックス（Ｐａｓｓｉｖｅ  ｍａｔｒｉｘ）表示方式がある。
【０００６】
この二つ方式の大きな差異は、アクティブマトリックス表示方式はＴＦＴ−ＬＣＤに使用され、これはＴＦＴをスイッチとして利用してＬＣＤを駆動する方式であり、パッシブマトリックス表示方式はトランジスターを使用しないのでこれと関連した複雑な回路を必要としないという点である。
【０００７】
また、光源の利用方法に従って、バックライトを利用する透過型液晶表示装置と外部の光源を利用する反射型液晶表示装置の二種類に分類することができる。
【０００８】
バックライト（ｂａｃｋ  ｌｉｇｈｔ）を光源に使用する透過型液晶表示素子ではバックライトにより液晶表示素子の重量と体積とが増加するが、外部の光源を利用しない独立のディスプレー機能を有するので広く使用されている。
【０００９】
図１は従来の液晶表示装置を概略的に示した分解斜視図である。図２乃至図４は図１に図示されたバックライトアセンブリのランプとランプを駆動するためのインバータモジュールとの構成をより具体的に示した回路図である。
【００１０】
図１を参照すれば、液晶表示装置９００は画像信号が印加されることにより画面を表示するための液晶表示モジュール７００と液晶表示モジュール７００を収納するための前面ケース８１０及び背面ケース８２０で構成されている。液晶表示モジュール７００は画面を示す液晶表示パネルを含むディスプレーユニット７１０を含む。
【００１１】
ディスプレーユニット７１０は液晶表示パネル７１２、データ側印刷回路基板７１４、ゲート側印刷回路基板７１９、データ側テープキャリアパッケージ７１６及びゲート側テープキャリアパッケージ７１８を含む。
【００１２】
液晶表示パネル７１２は薄膜トランジスター基板７１２ａ、カラーフィルタ基板７１２ｂ及び液晶（図示せず）を含む。
【００１３】
薄膜トランジスター基板７１２ａはマトリックス状の薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）より成る画素電極を用いて形成される。
【００１４】
データライン及びゲートラインに電気信号を入力すると、各々の薄膜トランジスターのソース端子とゲート端子に電気信号が入力され、この電気信号の入力に従って薄膜トランジスターはターンオンまたはターンオフされてドレーン端子において画素形成に必要である電気信号が出力される。
【００１５】
前記薄膜トランジスター基板７１２ａに対向してカラーフィルタ基板７１２ｂが具備されている。カラーフィルタ基板７１２ｂは光が通過しながら所定の色が発現される色画素であるＲＧＢ画素が薄膜工程により形成された基板である。カラーフィルタ基板７１２ｂの前面にはＩＴＯから成る共通電極が塗布されている。
【００１６】
前述した薄膜トランジスター基板７１２ａのトランジスターのゲート端子及びソース端子に電源が印加されて薄膜トランジスターがターンオンされると、画素電極とカラーフィルタ基板の共通電極の間には電界が形成される。このような電界により薄膜トランジスター基板７１２ａとカラーフィルタ基板７１４ｂの間に注入された液晶の配列角が変化され、変化された配列角に従って光透過率が変更されて所望の画素を得ることになる。
【００１７】
前記液晶表示パネル７１２の液晶の配列角と液晶が配列される時期を制御するために薄膜トランジスターのゲートラインとデータラインに駆動信号及びタイミング信号を印加する。図示したように、液晶表示パネル７１２のソース側にはデータ駆動信号の印加時期を決定する可撓性回路基板の一種であるデータ側テープキャリアパッケージ７１６が付着されており、ゲート側にはゲート駆動信号の印加時期を決定するための可撓性回路基板の一種であるゲート側テープキャリアパッケージ７１８が付着されている。
【００１８】
液晶表示パネル７１２の外部から映像信号の入力を受けてゲートラインとデータラインに各々駆動信号を印加するためのデータ側印刷回路基板７１４及びゲート側印刷回路基板７１９は液晶表示パネル７１２のデータライン側のデータテープキャリアパッケージ７１６及びゲートライン側のゲートテープキャリアパッケージ７１８に各々接続される。データ側印刷回路基板７１４にはコンピュータなどのような外部の情報処理装置（図示せず）から発生した映像信号が印加されて前記液晶表示パネル７１２にデータ駆動信号を提供するためのソース部が形成され、ゲート側印刷回路基板７１９には前記液晶表示パネル７１２のゲートラインにゲート駆動信号を提供するためのゲート部が形成されている。すなわち、データ側印刷回路基板７１４及びゲート側印刷回路基板７１９は液晶表示装置を駆動するための信号であるゲート駆動信号と、データ信号及びこれらの信号を適切な時期に印加するための複数のタイミング信号を発生させ、ゲート駆動信号はゲート側テープキャリアパッケージ７１８を通じて液晶表示パネル７１２のゲートラインに印加し、データ信号はデータ側テープキャリアパッケージ７１６を通じて液晶表示パネル７１２のデータラインに印加する。
【００１９】
前記ディスプレーユニット７１０の下には前記ディスプレーユニット７１０に均一な光を提供するためのバックライトアセンブリ７２０が具備されている。バックライトアセンブリ７２０は液晶表示モジュール７００の両端に具備されて光を発生させるための第１及び第２ランプ部７２３、７２５を含む。第１及び第２ランプ部７２３、７２５は各々第１及び第２ランプ７２３ａ、７２３ｂ、第３及び第４ランプ７２５ａ、７２５ｂで構成され、第１及び第２ランプカバー７２２ａ、７２２ｂによって各々保護される。
【００２０】
導光板７２４は前記ディスプレーユニット７１０の液晶パネル７１２に対応する大きさを有し、液晶パネル７１２の下に位置して第１及び第２ランプ部７２３、７２５で発生された光をディスプレーユニット７１０側に案内しながら光の経路を変更する。図１において、導光板７２４は厚さが均一なエッジ型であり、第１及び第２ランプ部７２３、７２５は光効率を高めるために導光板７２４の両端に設置される。第１及び第２ランプ部７２３、７２５のランプの個数は液晶表示装置９００の全体的な均衡を考慮して適切に配列されるように設定することができる。
【００２１】
前記導光板７２４の上には導光板７２４から出射されて液晶表示パネル７１２に向かう光の輝度を均一にするための複数個の光学シート７２６が具備されている。かつ、導光板７２４の下には導光板７２４から漏洩される光を導光板７２４へ反射させて光の効率を高めるための反射板７２８が具備されている。
【００２２】
前記ディスプレーユニット７１０とバックライトアセンブリ７２０は収納容器であるモールドフレーム７３０により固定支持される。モールドフレーム７３０は直六面体のボックス状の形状を有し、上面は開口されている。かつ、前記ディスプレーユニット７１０のデータ側印刷回路基板７１４とゲート側印刷回路基板７１９を前記モールドフレーム７３０の外部で折曲させながら、前記モールドフレーム７３０の底面部に固定しながらディスプレーユニット７１０が離脱されることを防止するためのシャーシ７４０が提供される。前記シャーシ７４０は液晶表示パネル７１０を露出させるために開口されており、側壁部は内側垂直方向に折曲され前記液晶表示パネル７１０の上面の周辺部をカバーする。
【００２３】
一方、図１には図示されなかったが、液晶表示装置９００には第１乃至第４ランプ７２３ａ、７２３ｂ、７２５ａ、７３５ｂを駆動するために図２に図示されたような第１インバータ（ＩＮＶ１）が具備される。
【００２４】
図２を参照すれば、第１インバータ（ＩＮＶ１）は第１及び第２トランスフォーマ（Ｔ１、Ｔ２）、そして第１及び第２安定化回路７２３ｅ、７２５ｅを有する。第１トランスフォーマ（Ｔ１）の２次側の高電圧レベルの出力端子は第１及び第２ランプ７２３ａ、７２３ｂの入力側、即ち第１電極に各々接続される。第１トランスフォーマ（Ｔ１）の２次側高電圧レベルの出力端子と第１及び第２ランプ７２３ａ、７２３ｂの第１電極との間には第１及び第２バラストキャパシタ（Ｃ１、Ｃ２：ｂａｌｌａｓｔ  ｃａｐａｃｉｔｏｒ）が挿入される。第１及び第２ランプ７２３ａ、７２３ｂの出力側、即ち第２電極は各々第１及び第２リターンワイヤ（７２３ｃ、７２３ｄ：ｒｅｔｕｒｎ  ｗｉｒｅ、以下‘ＲＴＮ’と言う）が第１インバータ（ＩＮＶ１）内の第１安定化回路７２３ｅに至るまで延長される。第１及び第２リターンワイヤ７２３ｃ、７２３ｄは第１安定化回路７２３ｅに接続されてフィードバック電流を提供する。図２を参照すれば、第３及び第４ランプ７２５ａ、７２５ｂの第１電極は第３及び第４バラストキャパシタ（Ｃ３、Ｃ４）を挿入して第２トランスフォーマ（Ｔ２）の２次側の高電圧レベルの出力端子と接続される。第３及び第４ランプ７２５ａ、７２５ｂ各々の第２電極は前記第１インバータ（ＩＮＶ１）側に延長された第３及び第４リターンワイヤ７２５ｃ、７２５ｄを通じて第１インバータ（ＩＮＶ１）内の第２安定化回路７２５ｅに接続されてフィードバック電流を提供する。
【００２５】
しかし、このような一つのトランスフォーマを利用して複数のランプを駆動し、ランプの電極が相互に並列に連結されているときには、一つのトランスフォーマから提供される電流は各ランプに別々に印加される。従って、各ランプに印加される電流はランプの可変負荷性質と漏洩電流の差異によって次の表１のように電流差を有する。このような電流差はトランスフォーマから提供されるランプ電流が低くなるほど大きくなり、結局ランプの総電流が低い場合にはランプの一方の側が駆動されないのでランプの寿命が異なる。
【表１】
0004782311.tif 000002
【００２６】
このような問題点を解決するために、図３に図示されたように、ランプとトランスフォーマを一対一に対応させて駆動する方式が提示されている。
【００２７】
図３を参照すれば、第２インバータ（ＩＮＶ２）は第１乃至第４トランスフォーマ（Ｔ１、Ｔ２、Ｔ３、Ｔ４）、そして第１及び第２安定化回路７２３ｅ、７２５ｅを有する。第１乃至第４トランスフォーマ（Ｔ１、Ｔ２、Ｔ３、Ｔ４）は各々第１乃至第４コントローラ（ＣＴ１、ＣＴ２、ＣＴ３、ＣＴ４）によって駆動される。第１及び第２ランプ７２３ａ、７２３ｂの第１電極は第１及び第２バラストキャパシタ（Ｃ１、Ｃ２）を挿入して、各々第１及び第２トランスフォーマ（Ｔ１、Ｔ２）の２次側の高電圧レベルの出力端子と接続される。かつ、第１及び第２ランプ７２３ａ、７２３ｂの第２電極は各々第１及び第２ＲＴＮ７２３ｃ、７２３ｄによって第２インバータ（ＩＮＶ２）の内部の第１安定化回路７２３ｅに直列接続される。同様に、第３及び第４ランプ７２５ａ、７２５ｂの第１電極は第３及び第４バラストキャパシタ（Ｃ３、Ｃ４）を挿入して各々第３及び第４トランスフォーマ（Ｔ３、Ｔ４）の２次側高電圧レベルの出力端子と接続される。かつ、第３及び第４ランプ７２５ａ、７２５ｂの第２電極は各々第３及び第４ＲＴＮ７２５ｃ、７２５ｄによって第２インバータ（ＩＮＶ２）の内部の第２安定化回路７２５ｅに直列接続される。しかし、図３に図示されたように、ランプとトランスフォーマを一対一で対応させてランプを駆動すると、インバータの各トランスフォーマ間の周波数同期化が容易でない。従って、ランプから発生される光がちらちらするフリッカリング（ｆｌｉｃｋｅｒｉｎｇ）現象が発生されて液晶表示装置のバックライトとして適切な光源を得られない。
【００２８】
このような問題点を解決するため、図４に図示されたように、ランプとトランスフォーマを一対一に対応させ、トランスフォーマを対に結合させて使用する方式が提案されている。
【００２９】
即ち、図４を参照すれば、第３インバータ（ＩＮＶ３）は第１乃至第４トランスフォーマ（Ｔ１、Ｔ２、Ｔ３、Ｔ４）、そして第１及び第２安定化回路７２３ｅ、７２５ｅで構成される。第１及び第２トランスフォーマ（Ｔ１、Ｔ２）の２次側の低電圧レベル用端子、そして第３及び第４トランスフォーマ（Ｔ３、Ｔ４）の２次側の低電圧レベル用端子は互いに直接接続される。第１及び第２トランスフォーマ（Ｔ１、Ｔ２）は第１コントローラ（ＣＴ１）によって駆動され、第３及び第４トランスフォーマ（Ｔ３、Ｔ４）は第２コントローラ（ＣＴ２）によって駆動される。
【００３０】
一方、第１ランプ７２３ａの第１電極は第１バラストキャパシタ（Ｃ１）を挿入して第１トランスフォーマ（Ｔ１）の高電圧レベルの出力端子に接続され、第２ランプ７２３ｂの第１電極は第２バラストキャパシタ（Ｃ２）を挿入して第２トランスフォーマ（Ｔ２）の高電圧レベルの出力端子に接続される。第１及び第２ランプ７２３ａ、７２３ｂの第２電極は各々第１及び第２ＲＴＮ７２３ｃ、７２３ｄによって第３インバータ（ＩＮＶ３）の内部の第１安定化回路７２３ｅに直列接続される。同様に、第３ランプ７２５ａの第１電極は第３バラストキャパシタ（Ｃ３）を挿入して第３トランスフォーマ（Ｔ３）の高電圧レベルの出力端子に接続され、第４ランプ７２５ｂの第１電極は第４バラストキャパシタ（Ｃ４）を挿入して第４トランスフォーマ（Ｔ４）の高電圧レベルの出力端子に接続される。第３及び第４ランプ７２５ａ、７２５ｂの第２電極は各々第３及び第４ＲＴＮ７２５ｃ、７２５ｄによって第３インバータ（ＩＮＶ３）の内部の第２安定化回路７２５ｅに直列接続される。しかし、このようにトランスフォーマを対に結合して上述したような周波数同期化の難しさ及びフリッカリング現象の問題点を解決しても、依然として各ランプの第２電極はインバータ側に長くなるよう延長されるＲＴＮによって安定化回路に電気的に接続される。従って、ランプの個数が増加されることによって電気的な配線の難しさが発生されることだけでなく、バックライトアセンブリの製造費用が上昇される問題点が残る。
【００３１】
図５ａ及び図５ｂは直下型液晶表示装置のランプとインバータモジュールの構成を示した図面である。
【００３２】
図５ａに図示されたように、直下型液晶表示装置は光源を提供するランプ７２７が反射板７２８を隔ててモールドフレーム７３０の基底面に配列される。かつ、ランプ７２７がディスプレーユニット７１０の背面で光源を提供するので、図１に図示されたエッジ型液晶表示装置のように側面光源をディスプレーユニット７１０側に案内するための導光板７２４が使用されない。
【００３３】
このような構造的な特徴を反映して、直下型液晶表示装置９００は図５ｂに図示されたように、多数のランプ７２７ａ、７２７ｂ、７２７ｃ、７２７ｄ、７２７ｅ、７２７ｆ、７２７ｇ、７２７ｈを使用することが可能である。図５ｂに図示された第４インバータ（ＩＮＶ４）は図３または図４に図示された第２または第３インバータ（ＩＮＶ２、ＩＶＮ３）の構造を採用したこととして、多数のランプ７２７ａ、７２７ｂ、７２７ｃ、７２７ｄ、７２７ｅ、７２７ｆ、７２７ｇ、７２７ｈの第１電極との結合構造は第２または第３インバータ（ＩＮＶ２、ＩＶＮ３）の結合構造と同一である。かつ、多数のランプ７２７ａ、７２７ｂ、７２７ｃ、７２７ｄ、７２７ｅ、７２７ｆ、７２７ｇ、７２７ｈの第２電極は同様に各々のＲＴＮ（ＲＴＮ１、ＲＴＮ２、ＲＴＮ３、ＲＴＮ４、ＲＴＮ５、ＲＴＮ６、ＲＴＮ７、ＴＲＮ８）によって第４インバータ（ＩＮＶ４）内部の安定化回路（図示せず）に連結される。
【００３４】
しかし、図５に図示された直下型液晶表示装置においても、図３または図４に図示された駆動方式と同様に複数ランプの第２電極が各々別途のＲＴＮを通じてインバータの安定化回路に接続される。従って、ランプの個数の増加に対応して増加されるＲＴＮ個数の分だけランプ部の大きさが増加される。同時に、ＲＴＮの数が増加されるのに伴いバックライトアセンブリの製造費用が増加される。
【００３５】
【発明が解決しようとする課題】
従って、以上で列挙した従来技術の問題点を解決するため、本発明の一目的は液晶表示装置のバックライト用光源を提供するランプの電極線の連結構造を改善して液晶表示装置の大きさを最小化し、その製造費用を節減することができるバックライトアセンブリを提供することである。
【００３６】
本発明の異なる目的は、液晶表示装置のバックライト用光源を提供するランプの電極線の連結構造を改善して液晶表示装置の大きさを最小化し、その製造費用を節減することができるバックライトアセンブリを有する液晶表示装置を提供することである。
【００３７】
【課題を解決するための手段】
上述した目的を達成するための本発明の実施形態に従うバックライトアセンブリは、複数のランプで構成されて光を発生するための発光部と、前記発光部から提供される光の輝度を向上させるための光調節部とを含む。前記複数のランプ各々は二つの電極を有し、前記二つの電極は、少なくとも一つの隣接したランプの電極と直接連結される第１電極を含み、外部から提供される駆動信号の入力を受ける第２電極を選択的に具備する。
【００３８】
上述した目的を達成するための本発明の実施形態に従う液晶表示装置は、複数のランプで構成されて光を発生するための発光部と、前記発光部から提供される光の輝度を向上させるための光調節部とを有するバックライトアセンブリと含む。更に、前記光調節部の上面に位置するディスプレーユニットが、前記光調節部を通じて前記発光部から光を受けて映像を表示する。前記複数のランプ各々は二つの電極を有し、前記二つの電極は少なくとも一つの隣接したランプの電極と直接連結される第１電極を含み、更に、外部から提供される駆動信号の入力を受ける第２電極を選択的に具備する。
【００３９】
この時、前記駆動信号は互いに１８０度の位相差を有する第１及び第２駆動信号または３６０度を前記複数のランプ個数で割った値ほどの位相差を有するように提供されるＮ個（Ｎは２以上の整数）の駆動信号で構成される。前記駆動信号がＮ個の駆動信号で構成される場合、前記Ｎ個の駆動信号の各位相の和は０である。
【００４０】
前記発光部は少なくとも二つのランプを含み、前記少なくとも二つのランプは互いに直列連結され、最先端ランプと最後方ランプの電極は各々第１及び第２駆動信号の入力を受ける。
【００４１】
前記バックライトアセンブリは、直流成分の外部電源を交流成分に変換して前記互いに異なる位相を有する第１及び第２駆動信号を発生するための駆動部をさらに含む。前記駆動部は、前記複数ランプの電流を安定化するための安定化回路を含む。前記複数のトランスフォーマ各々の２次側の低電圧側は前記安定化回路に連結されて前記複数ランプの電流安定化のためのフィードバック電流を前記安定化回路に提供する。
【００４２】
前記発光部は、前記光調節部の一端または両端に接して位置する。前記発光部が前記光調節部の一端に位置する場合、前記光調節部は前記発光部が位置している一端から対向する側にある他端に向かって進行するほどその厚さが薄くなるくさび形導光板が使用される。
【００４３】
かつ、前記発光部は、前記光調節部の下面に位置することもできる。この場合、前記光調節部は前記発光部から前記ディスプレーユニットに提供される光の輝度を均一にするための複数個の光学シートで構成される。
【００４４】
このようなバックライトアセンブリ及び液晶表示装置に従うと、前記ランプの第１電極は前記駆動部を構成するトランスフォーマの中の対応するトランスフォーマの２次側高電圧レベルの出力端子に各々接続され、前記ランプの第２電極は電気的に互いに直接接続される。かつ、前記トランスフォーマの２次側低電圧レベルの出力端子は安定化回路に直接的に接続されて、前記ランプの電流安定化のためのフィードバック電流を前記安定化回路に提供する。
【００４５】
従って、前記ランプ各々の第２電極はフィードバック電流を前記安定化回路に提供するために前記インバータモジュールの安定化回路まで延長される必要がないために、ＲＴＮが全く使用されない。このようにして、前記バックライトアセンブリに採用されるランプの電極線の配線構造が単純化されてバックライトアセンブリの大きさを縮小させることができるだけでなく、バックライトアセンブリ及び液晶表示装置の製造費用を節減することができる。
【００４６】
【発明の実施の形態】
以下、図面を参照して本発明の望ましい一実施形態による液晶表示装置及び情報処理装置の構成をより詳細に説明する。
【００４７】
図６は本発明の望ましい一実施形態による液晶表示装置を概略的に示すための分解斜視図である。
【００４８】
図６を参照すれば、液晶表示装置１００は画像信号が印加され画面を表示するための液晶表示モジュール２００と液晶表示モジュール２００を収納するための前面ケース３１０及び背面ケース３２０で構成されたケース３００とを含む。
【００４９】
液晶表示モジュール２００は画面を表示する液晶表示パネル２１２を含むディスプレーユニット２１０を含む。
【００５０】
ディスプレーユニット２１０は液晶表示パネル２１２、データ側印刷回路基板２１４、データ側テープキャリアパッケージ２１６、ゲート側印刷回路基板２１９及びゲート側テープキャリアパッケージ２１８を含む。
【００５１】
液晶表示パネル２１２は薄膜トランジスター基板２１２ａ、カラーフィルタ基板２１２ｂ及び液晶（図示せず）を含む。
【００５２】
薄膜トランジスター基板２１２ａはマトリックス状に薄膜トランジスターが形成されている透明なガラス基板である。前記薄膜トランジスターのソース端子にはデータラインが連結され、ゲート端子にはゲートラインが連結される。かつ、ドレーン端子は透明な導電性材質であるインジウムティンオキサイド（ＩＴＯ）で構成される画素電極によって形成される。
【００５３】
データライン及びゲートラインに電気信号を入力すると、各々の薄膜トランジスターのソース端子とゲート端子に電気信号が入力され、この電気信号の入力に従って薄膜トランジスターはターンオンまたはターンオフされてドレーン端子を介して画素形成に必要な電気信号が出力される。
【００５４】
前記薄膜トランジスター基板２１２ａに対向してカラーフィルタ基板２１２ｂが具備されている。カラーフィルタ基板２１２ｂは光が通過しながら所定の色が発現される色画素であるＲＧＢ画素が薄膜工程により形成された基板である。カラーフィルタ基板２１２ｂの前面にはＩＴＯから成る共通電極が塗布されている。
【００５５】
前述した薄膜トランジスター基板２１２ａのトランジスターのゲート端子及びソース端子に電源が印加されて薄膜トランジスターがターンオンされると、画素電極とカラーフィルタ基板の共通電極の間には電界が形成される。このような電界により薄膜トランジスター基板２１２ａとカラーフィルタ基板２１４ｂの間に注入された液晶の配列角が変化され、変化された配列角に従って光透過率が変更されて所望の画素を得ることになる。
【００５６】
前記液晶表示パネル２１２の液晶の配列角と液晶が配列される時期とを制御するために薄膜トランジスターのゲートラインとデータラインに駆動信号及びタイミング信号を印加する。
【００５７】
図示したように、液晶表示パネル２１２のソース側にはデータ駆動信号の印加時期を決定する可撓性回路基板の一種であるデータテープキャリアパッケージ２１６が付着されており、ゲート側にはゲート駆動信号の印加時期を決定するためにゲートテープキャリアパッケージ２１８が付着されている。
【００５８】
液晶表示パネル２１２の外部から映像信号の入力を受けてゲートラインとデータラインに各々駆動信号を印加するためのデータ側印刷回路基板２１４とゲート側印刷回路基板２１９は液晶表示パネル２１２のデータライン側のデータテープキャリアパッケージ２１４とゲートライン側のゲートテープキャリアパッケージ２１９に各々接続される。データ側印刷回路基板２１４はコンピュータなどのような外部の情報処理装置（図示せず）から発生した映像信号が印加されて前記液晶表示パネル２１２にデータ駆動信号を提供するためのソース部が形成されている。ゲート側印刷回路基板２１９はコンピュータなどのような外部の情報処理装置（図示せず）から発生した映像信号が印加されて前記液晶表示パネル２１２のゲートラインにゲート駆動信号を提供するためのゲート部が形成されている。
【００５９】
すなわち、データ側印刷回路基板２１４及びゲート側印刷回路基板２１９は液晶表示装置を駆動するための信号であるゲート駆動信号、データ信号及びこれらの信号を適切な時期に印加するための複数のタイミング信号を発生させ、ゲート駆動信号はゲートテープキャリアパッケージ２１８を通じて液晶表示パネル２１２のデータラインに印加し、データ駆動信号はデータテープキャリアパッケージ２１６を通じて液晶表示パネル２１２のゲートラインに印加する。
【００６０】
前記ディスプレーユニット２１０の下には前記ディスプレーユニット２１０に均一な光を提供するためのバックライトアセンブリ２２０が具備されている。バックライトアセンブリ２２０は液晶表示モジュール２００の一方の側に具備されて光を発生させるための第１及び第２ランプ部２２３、２２５を含む。第１及び第２ランプ部２２３、２２５は各々第１及び第２ランプ２２３ａ、２２３ｂ、第３及び第４ランプ２２５ａ、２２５ｂで構成され、第１及び第２ランプカバー２２２ａ、２２２ｂにより各々保護される。
【００６１】
導光板２２４は前記ディスプレーユニット２１０の液晶パネル２１２に対応する大きさを有し、液晶パネル２１２の下に位置して第１及び第２ランプ部２２３、２２５で発生された光をディスプレーユニット２１０側に案内しながら光の経路を変更する。図６において、前記導光板２２４は厚さが均一なエッジ型であり、前記第１及び第２ランプ部２２３、２２５は光効率を高めるために前記導光板２２４の両端に設置される。前記第１及び第２ランプ部２２３、２２５のランプ個数は前記液晶表示装置１００の全体的な均衡を考慮して適切に配列されるように設定することができる。
【００６２】
前記導光板２２４の上には導光板２２４から出射されて液晶表示パネル２１２に向かう光の輝度を均一にするための複数個の光学シート２２６が具備されている。かつ、導光板２２４の下には導光板２２４から漏洩される光を導光板２２４に向け反射させて光の効率を高めるための反射板２２８が具備されている。
【００６３】
前記ディスプレーユニット２１０とバックライトアセンブリ２２０は収納容器であるモールドフレーム４００により固定支持される。前記モールドフレーム４００は直六面体のボックス状を有して上面は開口されている。かつ、前記ディスプレーユニット２１０のデータテープキャリアパッケージ２１６とゲートテープキャリアパッケージ２１８を前記モールドフレーム４００の外部において曲げ回しながら前記データ印刷回路基板２１４及び前記ゲート印刷回路基板２１９を前記モールドフレーム４００の底面部に固定しながら、前記ディスプレーユニット２１０が離脱されることを防止するためのシャシー３３０が提供される。前記シャシー３３０は前記液晶表示パネル２１０を露出させるために開口されており、側壁部は垂直方向下向きに折り曲げられて前記液晶表示パネル２１０の上面周辺部をカバーする。
【００６４】
図７は図６に図示された前記導光板及びランプ部の断面構造を示した断面図である。
【００６５】
図７を参照すれば、前記導光板２２４の一端には前記第１ランプカバー２２２ａが結合され、前記第１ランプカバー２２２ａの内部には前記第１及び第２ランプ２２３ａ、２２３ｂが上下に配列される。かつ、導光板２２４の一端と対向する他端には前記第２ランプカバー２２２ｂが結合され、前記第２ランプカバー２２２ｂの内部には前記第３及び第４ランプ２２５ａ、２２５ｂが上下に配列される。
【００６６】
図７に図示された第１及び第２ランプ２２３ａ、２２３ｂのような二つのランプの上下配列は、導光板の一端からそれに対向する他端に向かって進行するほど導光板の厚さが薄くなるくさび形導光板にも同様に適用されることができる。ただ、くさび形導光板の場合には導光板の一端にのみランプ部が設置されることが異なる。くさび形導光板に対しては後述するようにする。
【００６７】
一方、図６には図示されなかったが、上述した液晶表示装置１００には前記第１乃至第４ランプ２２３ａ、２２３ｂ、２２５ａ、２２５ｂを駆動するための交流信号を提供する第５インバータ（ＩＮＶ５）が図８に図示されたように具備される。
【００６８】
図８は図６及び図７に図示されたバックライトアセンブリのランプとこれを駆動するためのインバータモジュールの構成を示した回路図である。図９は図８に図示されたランプとインバータモジュールの構成をより具体的に示した回路図である。図１０は図８に図示されたランプの両端の電位差を説明するためのグラフである。
【００６９】
図８を参照すれば、前記第５インバータ（ＩＮＶ５）は前記バックライトアセンブリに採用されるランプの個数と同一な個数即ち、第１乃至第４トランスフォーマ（Ｔ１、Ｔ２、Ｔ３、Ｔ４）を有する。前記第１及び第２トランスフォーマ（Ｔ１、Ｔ２）は第１コントローラ（ＣＴ１）からの駆動信号によって駆動され、第３及び第４トランスフォーマ（Ｔ３、Ｔ４）は第２コントローラ（ＣＴ２）からの駆動信号によって駆動される。
【００７０】
第１トランスフォーマ（Ｔ１）の２次側の高電圧レベルの出力端子は第１ランプ２２３ａの入力側、即ち第１電極に接続され、前記第１トランスフォーマ（Ｔ１）の２次側の高電圧レベルの出力端子と第１ランプ２２３ａの第１電極との間には前記第１ランプ２２３ａの電流安定化のための第１バラストキャパシタ（Ｃ１）が挿入される。
【００７１】
第２トランスフォーマ（Ｔ２）の２次側の高電圧レベルの出力端子は第２ランプ２２３ｂの入力側、即ち第１電極に接続され、前記第２トランスフォーマ（Ｔ２）の２次側の高電圧レベルの出力端子と第２ランプ２２３ｂの第１電極との間には前記第２ランプ２２３ｂの電流安定化のための第２バラストキャパシタ（Ｃ２）が挿入される。
【００７２】
一方、前記第１及び第２ランプ２２３ａ、２２３ｂの出力側、即ち第２電極２２３ｃは電気的に互いに直接連結される。かつ、前記第１及び第２トランスフォーマ（Ｔ１、Ｔ２）の２次側の各低電圧レベルの出力端子（Ｔ１ａ、Ｔ２ａ）は前記第５インバータ（ＩＮＶ５）の内部でキャパシタと抵抗とによって構成される安定化回路２２７に直接連結される。即ち、前記第１及び第２ランプ２２３ａ、２２３ｂの電流安定化のためのフィードバック電流は前記第１及び第２トランスフォーマ（Ｔ１、Ｔ２）の２次側の各低電圧レベルの出力端子を通じて提供される。
【００７３】
同様に、第３トランスフォーマ（Ｔ３）の２次側の高電圧レベルの出力端子は第３ランプ２２５ａの入力側、即ち第１電極に接続され、前記第３トランスフォーマ（Ｔ３）の２次側の高電圧レベルの出力端子と第３ランプ２２５ａの第１電極との間には前記第３ランプ２２５ａの電流安定化のための第３バラストキャパシタ（Ｃ３）が挿入される。
【００７４】
第４トランスフォーマ（Ｔ４）の２次側の高電圧レベルの出力端子は第４ランプ２２５ｂの入力側、即ち第１電極に接続され、前記第４トランスフォーマ（Ｔ４）の２次側の高電圧レベルの出力端子と第４ランプ２２５ｂの第１電極との間には前記第４ランプ２２５ｂの電流安定化のための第４バラストキャパシタ（Ｃ４）が挿入される。
【００７５】
かつ、前記第３及び第４ランプ２２５ａ、２２５ｂの第２電極２２５ｃは、電気的に互いに直接連結される。前記第３及び第４トランスフォーマ（Ｔ３、Ｔ４）の２次側の各低電圧レベルの出力端子（Ｔ３ａ、Ｔ４ａ）は前記第５インバータ（ＩＮＶ５）の内部で前記安定化回路２２９に直接連結されて、前記第３及び第４ランプ２２５ａ、２２５ｂの電流の安定化させるためのフィードバック電流を前記安定化回路２２９に提供する。
【００７６】
図９を参照すれば、前記第１及び第２トランスフォーマ（Ｔ１、Ｔ２）の先行段には第１コントローラ（ＣＴ１）が具備される。前記第１コントローラ（ＣＴ１）は前記第１及び第２トランスフォーマ（Ｔ１、Ｔ２）に接続される外部信号の入力端子に一端が並列接続された第１及び第２バイアス抵抗（Ｒ１、Ｒ２）と、ベース端子が前記第１バイアス抵抗（Ｒ１）の他端と接続されて前記トランスフォーマ（Ｔ１）に共通接続され、エミッタ端子が接地され、コレクタ端子が前記第１及び第２トランスフォーマ（Ｔ１、Ｔ２）に接続された第１トランジスター（Ｑ１）と、ベース端子が前記第２バイアス抵抗（Ｒ２）の他端と共通に前記第１トランスフォーマ（Ｔ１）に接続され、エミッタ端子が前記第１トランジスター（Ｑ１）のエミッタ端子と共通接地され、コレクタ端子が前記第１トランスフォーマ（Ｔ１）に接続される第２トランジスター（Ｑ２）と、一端が第２トランジスター（Ｑ２）のコレクタ端子と共通に前記第１トランスフォーマ（Ｔ１）に接続され、他端が前記第１トランジスター（Ｑ１）のコレクタ端子に接続された振動（ｏｓｃｉｌｌａｔｉｎｇ）キャパシタ（Ｃ５）とを有する。このような構成を有する前記第１コントローラ（ＣＴ１）は外部から入力される直流信号を交流信号へ変換するためのロイヤ回路（Ｒｏｙｅｒ  ｃｉｒｃｕｉｔ）として動作される。
【００７７】
一方、前記第１及び第２ランプ２２３ａ、２２３ｂの第１電極は各々前記第１及び第２バラストキャパシタ（Ｃ１、Ｃ２）を通じて前記第１及び第２トランスフォーマ（Ｔ１、Ｔ２）の高電圧レベルの出力端子に連結される。この時、前記第１及び第２ランプ２２３ａ、２２３ｂの第１電極と各々連結された第１及び第２トランスフォーマ（Ｔ１、Ｔ２）の高電圧レベルの出力端子はコイルの捲線進行方向が反対になっている。
【００７８】
即ち、前記第１ランプ２２３ａの第１電極と電気的に接続される前記第１トランスフォーマ（Ｔ１）の高電圧レベルの出力端子はコイルの捲線の始点に設定される。他方で、前記第２ランプ２２３ｂの第１電極と電気的に接続される前記第２トランスフォーマ（Ｔ２）の高電圧レベルの出力端子はコイルの捲線の終点に設定される。
【００７９】
従って、前記第１及び第２トランスフォーマ（Ｔ１、Ｔ２）から前記第１ランプ２２３ａと前記第２ランプ２２３ｂに各々印加される交流信号は互いに１８０度の位相差を有する。この時、前記安定化回路２２７に電気的に直接接続された前記第１及び第２トランスフォーマ（Ｔ１、Ｔ２）の２次側の低電圧レベルの出力端子は前記第１及び第２ランプ２２３ａ、２２３ｂに流れる電流を安定化させるためのフィードバック電流を前記前記第１及び第２ランプ２２３ａ、２２３ｂの各々に提供する。
【００８０】
このように前記第１及び第２ランプ２２３ａ、２２３ｂに各々印加される交流信号の位相が互いに１８０度の位相差ができるように提供されると、互いに電気的に直接接続された前記第１及び第２ランプ２２３ａ、２２３ｂの第２電極部分における電圧がほぼゼロになる。
【００８１】
従って、図１０に図示されたように、各々参照符号“Ａ”と“Ｂ”で表示された前記第１ランプ２２３ａの第１電極と第２電極の間に電位差が生じ、それによって前記第１及び第２ランプ２２３ａ、２２３ｂが発光動作を行うことが可能になる。
【００８２】
下記した表２は図４に図示された従来技術によるランプ駆動方式と図８に図示された本発明によるランプ駆動方式との動作特性を示す。
【００８３】
表２を参照すれば、インバータの消費電力とランプの漏洩電流とに関しては、図４に図示された従来の駆動方式と図８に図示された本発明の駆動方式と間でほとんど差が見られない。バックライトの輝度においても、各ランプの電流値に対して類似の輝度が示されている。
【表２】
0004782311.tif 000003
【００８４】
このような測定結果を見ると、図４に図示された従来のランプ駆動方式と図８に図示された本発明に従うランプ駆動方式との間では、バックライトの輝度、インバータの消費電力及びランプの漏洩電流に関して類似の結果が得られている。しかし、図８に図示された本発明に従うランプ駆動方式では、従来のランプ駆動方式とは異なり各ランプの第２電極がインバータ内部の安定化回路に連結されるのではなく互いに電気的に直接接続されているため、ＲＴＮの配線によって占有される空間が縮小され液晶表示装置の製造費用が節減されるという効果が得られる。
【００８５】
一方、図７に図示されたように、二つのランプが上下に配列される場合には二つの駆動信号が使用されるために、前記第１及び第２ランプ２２３ａ、２２３ｂに各々印加される駆動信号は互いに１８０度の位相差を有する。しかし、ランプの個数は必要に従って増加されることができ、この場合、ランプに印加される駆動信号の位相はランプの個数に従って可変的に設定される。図１１乃至図１４は図７に図示されたランプの構成の異なる形態を示す。
【００８６】
図１１を参照すれば、バックライトアセンブリはバックライト用光源として３個のランプ即ち、第５乃至第７ランプ２２７ａ、２２７ｂ、２２７ｃを採用する。前記第５乃至第７ランプ２２７ａ、２２７ｂ、２２７ｃを駆動するための第６インバータ（ＩＮＶ６）は前記第５乃至第７ランプ２２７ａ、２２７ｂ、２２７ｃの個数と同一な個数即ち、第５乃至第７トランスフォーマ（Ｔ５、Ｔ６、Ｔ７）を有する。前記第５乃至第７トランスフォーマ（Ｔ５、Ｔ６、Ｔ７）は第３コントローラ（ＣＴ３）からの駆動信号によって駆動される。
【００８７】
前記第５乃至第７トランスフォーマ（Ｔ５、Ｔ６、Ｔ７）と第５乃至第７ランプ２２７ａ、２２７ｂ、２２７ｃの接続関係はランプが二つである場合と同一である。即ち、前記第５乃至第７トランスフォーマ（Ｔ５、Ｔ６、Ｔ７）の２次側の高電圧レベルの出力端子は各々前記第５乃至第７ランプ２２７ａ、２２７ｂ、２２７ｃの第１電極に接続され、前記第５乃至第７ランプ２２７ａ、２２７ｂ、２２７ｃの第１電極と前記第５乃至第７トランスフォーマ（Ｔ５、Ｔ６、Ｔ７）の２次側の高電圧レベルの出力端子との間には前記第５乃至第７ランプ２２７ａ、２２７ｂ、２２７ｃの電流安定化のための第５乃至第７バラストキャパシタ（Ｃ５、Ｃ６、Ｃ７）が各々挿入される。そして、前記第５乃至第７トランスフォーマ（Ｔ５、Ｔ６、Ｔ７）の２次側の各低電圧レベルの出力端子は前記第５乃至第７ランプ２２７ａ、２２７ｂ、２２７ｃの電流安定化のための安定化回路２３０に直接接続されてフィードバック電流を提供する。かつ、前記第５乃至第７ランプ２２７ａ、２２７ｂ、２２７ｃの出力側、即ち第２電極は互いに電気的に直接接続される。
【００８８】
このように、３個のランプで構成される場合に各ランプに印加される駆動信号の位相差はランプの個数によって決定される。図１２に図示されたように、前記第５乃至第７ランプ２２７ａ、２２７ｂ、２２７ｃに印加される駆動信号は３６０度をランプの個数で割った値に等しい位相差を有するように提供される。即ち、第５ランプ２２７ａに提供される第１駆動信号（ＤＳ１）が０度で始まるサイン波の形態で提供されると、第６ランプ２２７ｂで提供される第２駆動信号（ＤＳ２）は前記第１駆動信号（ＤＳ１）より１２０度ほど遅延された位相を有するように提供され、前記第７ランプ２２７ｃで提供される第３駆動信号（ＤＳ３）は前記第第２駆動信号（ＤＳ２）より１２０度ほど遅延された位相を有するように提供される。
【００８９】
従って、前記第１乃至第３駆動信号（ＤＳ１、ＤＳ２、ＤＳ３）の各位相での電圧値の和は常に“０”の値を有する。例えば、図１２において、参照符号“Ａ”地点で前記第１乃至第３駆動信号（ＤＳ１、ＤＳ２、ＤＳ３）の各位相は前記第１駆動信号（ＤＳ１）を基準に見るとき、各々９０度、-２１０度、-３３０度の位相値を有する。これを該当位相での電圧値へ変換すると、前記第１乃至第３駆動信号（ＤＳ１、ＤＳ２、ＤＳ３）の各電圧値は“Ｖ１”、 “-Ｖ２”及び “-Ｖ３”で示すことができる。従って、前記第５乃至第７ランプ２２７ａ、２２７ｂ、２２７ｃの各第２電極が接続される出力側での前記第１乃至第３駆動信号（ＤＳ１、ＤＳ２、ＤＳ３）の各位相での電圧値の和が“０”になって前記第５乃至第７ランプ２２７ａ、２２７ｂ、２２７ｃが駆動される。
【００９０】
図１３はバックライトアセンブリのバックライト用光源として４個のランプ即ち、第８乃至第１１ランプ２３１ａ、２３１ｂ、２３１ｃ、２３１ｄを採用した形態を図示する。図１４は図１３に図示された第８乃至第１１ランプ２３１ａ、２３１ｂ、２３１ｃ、２３１ｄに各々提供される第４乃至第７駆動信号（ＤＳ４、ＤＳ５、ＤＳ６、ＤＳ７）の位相差を図示する。
【００９１】
図示したように、前記第８乃至第１１ランプ２３１ａ、２３１ｂ、２３１ｃ、２３１ｄを駆動するための第７インバータ（ＩＮＶ７）は前記第８乃至第１１ランプ２３１ａ、２３１ｂ、２３１ｃ、２３１ｄの個数と同一な個数即ち、第８乃至第１１トランスフォーマ（Ｔ８、Ｔ９、Ｔ１０、Ｔ１１）を有する。第８乃至第１１トランスフォーマ（Ｔ８、Ｔ９、Ｔ１０、Ｔ１１）は第４コントローラ（ＣＴ４）からの第４乃至第７駆動信号（ＤＳ４、ＤＳ５、ＤＳ６、ＤＳ７）によって駆動される。
【００９２】
同様に、前記第８乃至第１１トランスフォーマ（Ｔ８、Ｔ９、Ｔ１０、Ｔ１１）の２次側の高電圧レベルの出力端子は各々前記第８乃至第１１ランプ２３１ａ、２３１ｂ、２３１ｃ、２３１ｄの第１電極に接続され、第８乃至第１１ランプ２３１ａ、２３１ｂ、２３１ｃ、２３１ｄの電極と前記第８乃至第１１トランスフォーマ（Ｔ８、Ｔ９、Ｔ１０、Ｔ１１）の２次側の高電圧レベルの出力端子との間には前記第８乃至第１１ランプ２３１ａ、２３１ｂ、２３１ｃ、２３１ｄの電流安定化のための前記第８乃至第１１バラストキャパシタ（Ｃ８、Ｃ９、Ｃ１０、Ｃ１１）が各々挿入される。そして、前記第８乃至第１１トランスフォーマ（Ｔ８、Ｔ９、Ｔ１０、Ｔ１１）の２次側の各低電圧レベルの出力端子は前記第８乃至第１１ランプ２３１ａ、２３１ｂ、２３１ｃ、２３１ｄの電流安定化のための安定化回路２３３に直接接続されてフィードバック電流を提供する。かつ、前記第８乃至第１１ランプ２３１ａ、２３１ｂ、２３１ｃ、２３１ｄの出力側、即ち第２電極は互いに電気的に直接接続される。
【００９３】
このように、４個のランプで構成される場合にも各ランプに印加される駆動信号の位相差はランプの個数によって決定される。図１４に図示されたように、前記第８乃至第１１ランプ２３１ａ、２３１ｂ、２３１ｃ、２３１ｄに印加される前記第４乃至第７駆動信号（ＤＳ４、ＤＳ５、ＤＳ６、ＤＳ７）は３６０度をランプの個数で割った値に等しい位相差を有するように提供される。図１４を参照して説明すれば、第８ランプ２３１ａに提供される第４駆動信号（ＤＳ４）が０度で始まるサイン波の形態で提供されると、第９ランプ２３１ｂへ提供される第５駆動信号（ＤＳ５）は前記第４駆動信号（ＤＳ４）より９０度ほど遅延された位相を有するように提供され、前記第１０ランプ２３１ｃへ提供される第６駆動信号（ＤＳ６）は前記第５駆動信号（ＤＳ５）より９０度ほど遅延された位相を有するように提供され、前記第１１ランプ２３１ｄへ提供される第７駆動信号（ＤＳ７）は前記第６駆動信号（ＤＳ６）より９０度ほど遅延された位相を有するように提供される。
【００９４】
従って、前記第４乃至第７駆動信号（ＤＳ４、ＤＳ５、ＤＳ６、ＤＳ７）の各位相の和は常に“０”の値を有する。例えば、図１４において、参照符号“Ｂ”地点で前記第４乃至第７駆動信号（ＤＳ４、ＤＳ５、ＤＳ６、ＤＳ７）の各位相は信号の印加時点から見るとき、各々９０度、０度、-２７０度、０度の位相値を有する。これを該当位相での電圧値に変換すると、前記第４乃至第７駆動信号（ＤＳ４、ＤＳ５、ＤＳ６、ＤＳ７）は各々“Ｖ４”、 “Ｖ５”、“-Ｖ６”及び “Ｖ７”の電圧値を有する。従って、前記第８乃至第１１ランプ２３１ａ、２３１ｂ、２３１ｃ、２３１ｄの各第２電極が接続される出力側での前記第４乃至第７駆動信号（ＤＳ４、ＤＳ５、ＤＳ６、ＤＳ７）の各位相電圧値の和は“０”になって前記第８乃至第１１ランプ２３１ａ、２３１ｂ、２３１ｃ、２３１ｄが駆動される。
【００９５】
以上では図７乃至図１４を参照してランプの個数が２個乃至４個である場合について説明したが、上述したようなランプとトランスフォーマの接続方法及びトランスフォーマからランプに提供される駆動信号の位相差を与える方法はランプの個数が４個以上に増加しても同一である。即ち、各ランプに印加される駆動信号は３６０度を全体ランプの個数で割った値に等しい位相差を有するようにサイン波形態で提供されるので、互いに直接接続された各ランプの第２電極側の電圧は常にゼロになる。従って、ランプの個数とは関係なくランプの第２電極からインバータモジュール側に延長されて安定化回路に連結されるＲＴＮを除去することができるので、バックライトアセンブリ全体の大きさを縮小することができ、製造費用を節減することができる。
【００９６】
一方、上述したようなランプ駆動方式は図７に図示されたように、前記導光板２２４の両側端部にランプが設置されるエッジ型液晶表示装置だけでなく、図１５に図示されたくさび形導光板２２４ａにも同様に適用されることができる。
【００９７】
即ち、くさび形導光板２２４ａの一端で第３ランプカバー２３２によって保護されて上下に並べて配設される第１２及び第１３ランプ２３１ａ、２３１ｂの第２電極も図８に図示されたように互いに電気的に直接接続される。そして、前記第１２及び第１３ランプ２３１ａ、２３１ｂの第１電極は図８に図示されたように各々別途のトランスフォーマの高電圧レベルの出力端子に接続され、各トランスフォーマの低電圧レベルの出力端子はインバータ内部の安定化回路に接続される。従って、図１５に図示されたようなくさび形導光板２２４ａの場合にも、第１２及び第１３ランプ２３１ａ、２３１ｂのＲＴＮが省略できるために、図８の場合と同一な効果が得られる。
【００９８】
図１６は図６に図示されたバックライトアセンブリのランプとこれを駆動するためのインバータモジュールの構成の異なる形態を示した図面である。
【００９９】
図７及び図１１に図示された第１及び第２ランプ２２３ａ、２２３ｂ、第３及び第４ランプ２２５ａ、２２５ｂ対の各第２電極は図１６に図示されたように第８インバータ（ＩＮＶ８）側に長くなるように延長されて接続されることもできる。
【０１００】
図１６に図示された第１４及び第１５ランプ２３４ａ、２３４ｂを例として説明すれば、第１４及び第１５ランプ２３４ａ、２３４ｂの第１電極は各々前記第８インバータ（ＩＮＶ８）を構成する第１２及び第１３トランスフォーマ（Ｔ１２、Ｔ１３）の２次側の高電圧レベルの出力端子に接続される。これらの間には第１４及び第１５ランプ２３４ａ、２３４ｂの電流安定化のための第１２及び第１３バラストキャパシタ（Ｃ１２、Ｃ１３）が挿入される。
【０１０１】
前記第１４ランプ２３４ａの第２電極は第８インバータ（ＩＮＶ８）の内部で長くなるように延長され、再び前記第８インバータ（ＩＮＶ８）内部から前記第１５ランプ２３４ｂの第２電極側に長くなるように延長されて前記第１５ランプ（２３４ｂ）の第２電極と電気的に直接接続される。
【０１０２】
前記第８インバータ（ＩＮＶ８）の内部には図９に図示されたように前記第１４及び第１５ランプ２３４ａ、２３４ｂの電流を安定化させるための安定化回路（図示せず）が具備される。前記第１４及び第１５ランプ２３４ａ、２３４ｂの電流安定化のために前記安定化回路（図示せず）で提供されるフィードバック電流は前記第１２及び第１３トランスフォーマ（Ｔ１２、Ｔ１３）の２次側の低電圧レベルの出力端子を通じて印加される。
【０１０３】
今までは、図６に図示された液晶表示装置のバックライトアセンブリに採用されるランプの第２電極が互いに直接的に接続され、インバータモジュールのトランスフォーマがランプの個数と同一に構成されてランプの各第１電極が対応するトランスフォーマから互いに位相差が異なる駆動信号が提供される場合を説明した。しかし、複数ランプの電極を組み合わせることにより、ランプの個数と関係なく二つのトランスフォーマのみを使用して複数のランプを駆動することもできる。
【０１０４】
図１７は図６に図示されたバックライトアセンブリのランプとこれを駆動するためのインバータとの構成の異なる形態を示した図面として、複数のランプが直列連結された場合を図示する。図１８は図１３に図示されたランプとインバータモジュールとの構成をより具体的に示した回路図である。図１９は図１３に図示されたランプとインバータとの構成の変形形態を示した図面である。複数のランプが直列連結される場合にはその個数と関係なく同一形態の回路構成が可能であるが、ここでは、３個又は４個のランプが使用される場合を中心にして具体的に説明する。
【０１０５】
図１７乃至図１９で図示したように、第９インバータ（ＩＮＶ９）は第６コントローラ（ＣＴ６）と前記第６コントローラ（ＣＴ６）からの駆動信号に応答して駆動される第１４及び第１５トランスフォーマ（Ｔ１４、Ｔ１５）とを有する。第１５、第１６及び第１７ランプ２３６ａ、２３６ｂ、２３６ｃは互いに直列に連結されており、ここでは前記第１５ランプ２３６ａの第１電極と前記１７ランプ２３６ｃの第１電極が互いに反対方向に向かうように配列されている。
【０１０６】
従って、図１８に図示されたように、前記第１５ランプ２３６ａの第１電極は前記第１４トランスフォーマ（Ｔ１４）の２次側の高電圧レベルの出力端子との間に第１４バラストキャパシタ（Ｃ１４）を隔てて接続され、前記第１７ランプ２３６ｃの第１電極は前記第９インバータ（ＩＮＶ９）側に長くなるように延長されて前記第１５トランスフォーマ（Ｔ１５）の２次側の高電圧レベルの出力端子との間に第１５バラストキャパシタ（Ｃ１５）を隔てて接続される。
【０１０７】
同様に、前記第９インバータ（ＩＮＶ９）の内部には図９に図示されたような安定化回路（図示せず）が具備される。そして、前記第１４及び第１５トランスフォーマ（Ｔ１４、Ｔ１５）の２次側の低電圧レベルの出力端子は前記安定化回路２３５に直接的に接続され、前記第１５乃至第１７ランプ２３６ａ、２３６ｂ、２３６ｃの電流を安定化させるためのフィードバック電流は前記第１４及び第１５トランスフォーマ（Ｔ１４、Ｔ１５）の２次側の低電圧レベルの出力端子を通じて前記安定化回路２３５で提供される。
【０１０８】
この時にも、前記第１４及び第１５トランスフォーマ（Ｔ１４、Ｔ１５）の２次側の高電圧レベルの出力端子から第１４及び第１５バラストキャパシタ（Ｃ１４、Ｃ１５）を通じて前記第１５ランプ２３６ａ及び前記第１７ランプ２３６ｃの第１電極に各々提供される駆動信号は互いに１８０度の位相差を有する。なぜならば、ランプの個数が３個としても前記第１５乃至第１７ランプ２３６ａ、２３６ｂ、２３６ｃは互いに直列連結されており、最先端ランプである第１５ランプ２３６ａの第１電極と最後端ランプである第１７ランプ２３６ｃの第１電極のみが前記第１４及び第１５トランスフォーマ（Ｔ１４、Ｔ１５）から各々駆動信号の提供を受けるためである。即ち、複数のランプが直列連結されると、ランプの個数と関係なく駆動信号は常に二つが使用されるため、二つの駆動信号は１８０度の位相差を維持することで十分である。
【０１０９】
このようなランプ駆動方式において、前記第１５乃至第１７ランプ２３６ａ、２３６ｂ、２３６ｃを駆動するための前記第９インバータ（ＩＮＶ９）は図示されたように前記第１５乃至第１７ランプ２３６ａ、２３６ｂ、２３６ｃのいずれか一方の側に設置される。これによって、前記第９インバータ（ＩＮＶ９）の設置位置に従って、前記第１５ランプ２３６ａの第１電極または前記第１７ランプ２３６ｃの第１電極が前記第９インバータ（ＩＮＶ９）側に長くなるように延長される。
【０１１０】
しかし、前記第１５乃至第１７ランプ２３６ａ、２３６ｂ、２３６ｃのような液晶表示装置のバックライト用ランプの入力端即ち、第１電極が長くなるように延長されることを考慮してみると、図１９に図示されたように、前記第９インバータ（ＩＮＶ９）を構成する前記第１４及び第１５トランスフォーマ（Ｔ１４、Ｔ１５）を前記第１５乃至第１７ランプ２３６ａ、２３６ｂ、２３６ｃの第１電極と近いところに位置するように分離して配列することもできる。
【０１１１】
図２０及び図２１は４個のランプが直列連結される形態を図示する。
【０１１２】
図２０乃至図２１で図示したように、第１０インバータ（ＩＮＶ１０）は第７コントローラ（ＣＴ７）と前記第７コントローラ（ＣＴ７）からの駆動信号に応答して駆動される第１６及び第１７トランスフォーマ（Ｔ１６、Ｔ１７）を有する。第１８乃至第２１ランプ２３９ａ、２３９ｂ、２３９ｃ、２３９ｄは互いに直列連結されており、ここではランプの個数が偶数であるために、図１７に図示された３個のランプと異なって前記第１８ランプ２３９ａの第１電極と前記第２１ランプ２３９ｄの第１電極が同一な方向に向かうように配列されている。
【０１１３】
図２１に図示されたように、前記第１８ランプ２３９ａの第１電極は前記第１６トランスフォーマ（Ｔ１６）の２次側の高電圧のレベルの出力端子との間に第１６バラストキャパシタ（Ｃ１６）を隔てて接続され、前記第２１ランプ２３９ｄの第１電極は前記第１０インバータ（ＩＮＶ１０）側に長くなるように延長されて前記第１７トランスフォーマ（Ｔ１７）の２次側の高電圧のレベルの出力端子との間に第１７バラストキャパシタ（Ｃ１７）を隔てて接続される。
【０１１４】
同様に、前記第１０インバータ（ＩＮＶ１０）の内部には図９に図示されたような安定化回路２３５が具備される。そして、前記第１６及び第１７トランスフォーマ（Ｔ１６、Ｔ１７）の２次側の低電圧レベルの出力端子は前記安定化回路２３５に直接的に接続され、前記第１８乃至第２１ランプ２３９ａ、２３９ｂ、２３９ｃ、２３９ｄの電流を安定化させるためのフィードバック電流は前記第１６及び第１７トランスフォーマ（Ｔ１６、Ｔ１７）の２次側の低電圧レベルの出力端子を通じて前記安定化回路２３５で提供される。
【０１１５】
この時にも、前記第１６及び第１７トランスフォーマ（Ｔ１６、Ｔ１７）の２次側の高電圧レベルの出力端子から前記第１６及び第１７バラストキャパシタ（Ｃ１６、Ｃ１７）を通じて前記第１８ランプ２３９ａ及び前記第２１ランプ２３９ｄの第１電極に各々提供される駆動信号は互いに１８０度の位相差を有する。なぜならば、複数ランプが直列連結されるとランプの個数が４個としても、ランプの個数と関係なく駆動信号は常に二つが使用されるため、二つの駆動信号は１８０度の位相差を維持することで十分である。
【０１１６】
ここでは、直列連結される複数ランプの個数が３個及び４個である場合を例として説明したが、ランプの個数が４個以上に増加されるとしても、複数ランプが直列連結されると最先端ランプと最後端ランプの第１電極のみ駆動信号が印加される。従って、二つのトランスフォーマを利用して互いに１８０度位相差を有する駆動信号を最先端ランプと最後端ランプの第１電極に各々提供すれば、上述したように同一な駆動効果が得られる。
【０１１７】
図２２は本発明の望ましい実施形態に従う直下型液晶表示装置のランプ部の断面構造を示した断面図である。図２３は図２２に図示されたランプとこれを駆動するためのインバータモジュールとの構成を概略的に示した図面である。図２４は図２３に図示されたインバータモジュールから各ランプから提供される駆動信号の波形を示すための波形図である。図２５は図２２に図示されたランプとこれを駆動するためのインバータ構成の異なる形態を示した図面である。
【０１１８】
図２２に図示されたように、直下形液晶表示装置は光源を提供する複数のランプ２４４ａ、２４４ｂ、２４６ａ、２４６ｂ、２４８ａ、２４８ｂ、２５０ａ、２５０ｂが反射板２２８を隔ててモールドフレーム４００の基底面に所定距離で離隔されて配列される。かつ、直下形液晶表示装置はランプ２４４ａ、２４４ｂ、２４６ａ、２４６ｂ、２４８ａ、２４８ｂ、２５０ａ、２５０ｂがディスプレーユニット２１０の背面で光源を提供するので、図６に図示されたエッジ形液晶表示装置のように側面光源をディスプレーユニット２１０側にガイドするための導光板２２４が特に用いられない。前記ランプ２４４ａ、２４４ｂ、２４６ａ、２４６ｂ、２４８ａ、２４８ｂ、２５０ａ、２５０ｂの上面には前記ランプ２４４ａ、２４４ｂ、２４６ａ、２４６ｂ、２４８ａ、２４８ｂ、２５０ａ、２５０ｂとの間に光が進行する所定空間を置いて前記光の輝度などを調節するための光調節手段として拡散シート部材２２６が結合される。
【０１１９】
このような構造的な特徴を反映すれば、図２２に図示された直下形液晶表示装置は図２３に図示されたように、多数のランプ２４４ａ、２４４ｂ、２４６ａ、２４６ｂ、２４８ａ、２４８ｂ、２５０ａ、２５０ｂを使用することが可能である。即ち、直下形液晶表示装置は液晶パネルの幅に従ってランプの個数を可変とすることが容易である。
【０１２０】
図２３に図示された第１１インバータ（ＩＮＶ１１）は図８に図示された第５インバータ（ＩＮＶ５）の構造を採用したこととして、前記多数のランプ２４４ａ、２４４ｂ、２４６ａ、２４６ｂ、２４８ａ、２４８ｂ、２５０ａ、２５０ｂの各第１電極と前記第１１インバータ（ＩＮＶ１１）を構成する多数のトランスフォーマ（図示せず）との結合構造は図８に図示された前記第５インバータ（ＩＮＶ５）と前記第１乃至第４ランプ２２３ａ、２２３ｂ、２２５ａ、２２５ｄとの結合構造と同一である。即ち、前記第１１インバータ（ＩＮＶ１１）は前記多数のランプ２４４ａ、２４４ｂ、２４６ａ、２４６ｂ、２４８ａ、２４８ｂ、２５０ａ、２５０ｂと同一な個数のトランスフォーマ（図示せず）で構成される。
【０１２１】
かつ、前記多数のランプ２４４ａ、２４４ｂ、２４６ａ、２４６ｂ、２４８ａ、２４８ｂ、２５０ａ、２５０ｂの各第１電極は前記第１１インバータ（ＩＮＶ１１）の複数のトランスフォーマ（図示せず）のうちで対応するトランスフォーマの２次側の高電圧レベルの出力端子に接続される。そして、前記多数のランプ２４４ａ、２４４ｂ、２４６ａ、２４６ｂ、２４８ａ、２４８ｂ、２５０ａ、２５０ｂの各第２電極は互いに電気的に直接接続される。
【０１２２】
同様に、前記第１１インバータ（ＩＮＶ１１）を構成する前記複数のトランスフォーマ（図示せず）の各々の２次側の低電圧レベルの出力端子は図面には図示されなかったが、図９に図示されたように前記第１１インバータ（ＩＮＶ１１）の内部に具備される安定化回路（図示せず）に直接連結されて前記多数のランプ２４４ａ、２４４ｂ、２４６ａ、２４６ｂ、２４８ａ、２４８ｂ、２５０ａ、２５０ｂの電流を安定化させるためのフィードバック電流を安定化回路（図示せず）で提供する。
【０１２３】
ここで、前記第１１インバータ（ＩＮＶ１１）の複数のトランスフォーマ（図示せず）から前記多数のランプ２４４ａ、２４４ｂ、２４６ａ、２４６ｂ、２４８ａ、２４８ｂ、２５０ａ、２５０ｂで各々提供される第１乃至第８駆動信号（ＤＳ１、ＤＳ２、ＤＳ３、ＤＳ４、ＤＳ５、ＤＳ６、ＤＳ７、ＤＳ８）は図１１乃至図１４で説明されたように互いに異なる位相を有する。即ち、図面でのように、８個のランプで構成される場合には３６０度を８で割った値ほどの位相差を有するように第１乃至第８駆動信号（ＤＳ１、ＤＳ２、ＤＳ３、ＤＳ４、ＤＳ５、ＤＳ６、ＤＳ７、ＤＳ８）が提供される。
【０１２４】
図２４を参照してこれを説明すれば、前記第１乃至第８駆動信号（ＤＳ１、ＤＳ２、ＤＳ３、ＤＳ４、ＤＳ５、ＤＳ６、ＤＳ７、ＤＳ８）の印加時点で前記第１駆動信号（ＤＳ１）は０度の位相を有する。同様に、第２乃至第８駆動信号（ＤＳ２、ＤＳ３、ＤＳ４、ＤＳ５、ＤＳ６、ＤＳ７、ＤＳ８）は前記第１駆動信号（ＤＳ１）を基準にするとき、各々“４５度”、 “９０度”、 “１３５度”、 “０度”、 “−２２５度” 、“−２７０度”及び “−３１５度”の位相値を有する。これを該当位相での電圧値に変換すると、前記多数のランプ２４４ａ、２４４ｂ、２４６ａ、２４６ｂ、２４８ａ、２４８ｂ、２５０ａ、２５０ｂの各第２電極が接続される出力側での前記第１乃至第８駆動信号（ＤＳ１、ＤＳ２、ＤＳ３、ＤＳ４、ＤＳ５、ＤＳ６、ＤＳ７、ＤＳ８）の各位相の電圧値の和は“０”になる。従って、前記多数のランプ第２電極が接続される出力側での前記第４乃至第７駆動信号（ＤＳ４、ＤＳ５、ＤＳ６、ＤＳ７）の各位相の電圧値の和は“０”になって前記多数のランプ２４４ａ、２４４ｂ、２４６ａ、２４６ｂ、２４８ａ、２４８ｂ、２５０ａ、２５０ｂが駆動される。
【０１２５】
一方、前記多数のランプ２４４ａ、２４４ｂ、２４６ａ、２４６ｂ、２４８ａ、２４８ｂ、２５０ａ、２５０ｂは図２５に図示されたように、互いに隣接する二つのランプを一つの対として構成し、一つの対を構成する二つのランプの第２電極を互いに電気的に直接連結して構成することもできる。
【０１２６】
図２５において、第１２インバータ（ＩＮＶ１２）は前記多数のランプ２４４ａ、２４４ｂ、２４６ａ、２４６ｂ、２４８ａ、２４８ｂ、２５０ａ、２５０ｂの個数と同一な個数のトランスフォーマ（図示せず）と安定化回路（図示せず）とで構成される。前記第１２インバータ（ＩＮＶ１２）を構成する多数のトランスフォーマ（図示せず）の２次側の低電圧レベルの出力端子は前記安定化回路（図示せず）に直接的に連結されて前記多数のランプ２４４ａ、２４４ｂ、２４６ａ、２４６ｂ、２４８ａ、２４８ｂ、２５０ａ、２５０ｂの電流を安定化させるためのフィードバック電流を前記安定化回路（図示せず）で提供する。
【０１２７】
この時、前記多数のランプ２４４ａ、２４４ｂ、２４６ａ、２４６ｂ、２４８ａ、２４８ｂ、２５０ａ、２５０ｂの第１電極に各々印加される駆動信号は図１７に図示されたことと同一である。即ち、前記多数のランプ２４４ａ、２４４ｂ、２４６ａ、２４６ｂ、２４８ａ、２４８ｂ、２５０ａ、２５０ｂのうちで互いに電気的に直接接続されたランプ対、例えば、ランプ“２４４ａ”とランプ“２４４ｂ”、ランプ“２４４ａ”とランプ“２４６ａ”、ランプ“２４６ａ”とランプ“２４６ｂ”、ランプ“２４６ｂ”とランプ“２４８ａ”、ランプ“２４８ａ”とランプ“２５０ａ”そしてランプ“２５０ａ”とランプ“２５０ｂ”は互いに１８０度の位相差を有するように駆動信号が前記第１２インバータ（ＩＮＶ１２）の複数のトランスフォーマ（図示せず）から提供される。
【０１２８】
【発明の効果】
上述したようなバックライトアセンブリ及びこれを有する液晶表示装置によると、バックライトアセンブリに採用されて光を提供するランプはトランスフォーマ、コントローラ及び安定化回路で構成されるインバータモジュールからの交流信号によって駆動される。
【０１２９】
この時、前記ランプと前記インバータモジュール内のトランスフォーマとは同一な個数で構成されたり、または二つのトランスフォーマで構成される。前記ランプとトランスフォーマが同一な個数で構成される場合、前記ランプの第１電極は前記インバータモジュール内の複数のトランスフォーマのうちで対応されるトランスフォーマの２次側の高電圧レベルの出力端子に各々接続され、前記ランプの第２電極は互いに電気的に直接接続される。そして、二つのトランスフォーマを使用する場合には複数のランプが直列連結されて最先端ランプと最後端ランプの各第１電極が二つのトランスフォーマの２次側の高電圧レベルの出力端子に接続される。
【０１３０】
かつ、前記複数のトランスフォーマ２次側の低電圧レベルの出力端子は前記インバータモジュール内の安定化回路に直接的に接続されて、前記ランプの電流安定化のためのフィードバック電流を前記安定化回路で提供する。そして、前記複数のランプが直列連結される場合、前記インバータモジュールから前記ランプから提供される前記交流信号は互いに隣接したランプで互いに１８０度位相差を有するように提供される。これと異なり、前記複数のランプの第１電極が対応されるトランスフォーマから各々駆動信号が提供され、第２電極が互いに直接的に接続される場合、前記複数のランプの各第１電極にはサイン波交流信号の１周期即ち、３６０度をランプの個数で割った値に等しい位相差を有する駆動信号が提供される。
【０１３１】
従って、前記ランプの各々の第２電極は、ランプの個数と関係なく、フィードバック電流を前記安定化回路に提供するために前記インバータモジュールの安定化回路まで延長される必要がないために、ＲＴＮが全く使用されない。
【０１３２】
従って、前記バックライトアセンブリに採用されるランプの電極線の配線構造が単純化され、バックライトアセンブリの大きさを縮小することができるだけでなく、バックライトアセンブリ及び液晶表示装置の製造費用が節減することができる。
【０１３３】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【図１】  従来の液晶表示装置を概略的に示した分解斜視図である。
【図２】  図１に図示されたバックライトアセンブリのランプとランプを駆動するためのインバータモジュールの構成をより具体的に示した回路図である。
【図３】  図１に図示されたバックライトアセンブリのランプとインバータモジュールの構成の異なる形態を示した回路図である。
【図４】  図１に図示されたバックライトアセンブリのランプとインバータモジュールの構成のまた異なる形態を示した回路図である。
【図５】  図Ａ及び図５Ｂで構成され、直下形液晶表示装置のランプとインバータモジュールの構成を示した図面である。
【図６】  本発明の望ましい実施形態に従う液晶表示装置の分解斜視図である。
【図７】  図６に図示された導光板及びランプユニットの断面構造を示した断面図である。
【図８】  図６に図示されたバックライトアセンブリのランプとこれを駆動するためのインバータモジュール構成の第１実施形態を示した回路図である。
【図９】  図８に図示された第１実施形態のランプとインバータモジュールの構成をより具体的に示した回路図である。
【図１０】    図８に図示された第１実施形態のランプの両端の電位差を説明するためのグラフである。
【図１１】  図６に図示されたバックライトアセンブリのランプとこれを駆動するためのインバータモジュール構成の第２実施形態を示した回路図である。
【図１２】  図１１に図示された第２実施形態の各ランプに印加される駆動信号の位相差を示した図面である。
【図１３】  図６に図示されたバックライトアセンブリのランプとこれを駆動するためのインバータモジュール構成の第３実施形態を示した回路図である。
【図１４】  図１３に図示された第３実施形態の各ランプに印加される駆動信号の位相差を示した図面である。
【図１５】  図６に図示された導光板及びランプユニットの断面構造の異なる形態を示した断面図である。
【図１６】  図６に図示されたバックライトアセンブリのランプとこれを駆動するためのインバータモジュール構成の第４実施形態を示した図面である。
【図１７】  図６に図示されたバックライトアセンブリのランプとこれを駆動するためのインバータモジュール構成の第５実施形態を示した図面である。
【図１８】  図１７に図示された第５実施形態のランプとインバータモジュールの構成をより具体的に示した回路図である。
【図１９】  図１７に図示された第５実施形態のランプとインバータモジュール構成の変形形態を示した図面である。
【図２０】  図６に図示されたバックライトアセンブリのランプとこれを駆動するためのインバータモジュール構成の第６実施形態を示した図面である。
【図２１】  図２０に図示された第６実施形態のランプとインバータモジュールの構成をより具体的に示した回路図である。
【図２２】  本発明の望ましい実施形態に従う直下形液晶表示装置のランプユニットの断面構造を示した断面図である。
【図２３】  図２２に図示されたランプとこれを駆動するためのインバータモジュール構成示した図面である。
【図２４】  図２３に図示された各ランプに印加される駆動信号の位相差を示した図面である。
【図２５】  図１６に図示されたランプとこれを駆動するためのインバータモジュール構成の異なる形態を示した図面である。
【符号の説明】
１００    液晶表示装置
２００    液晶表示モジュール
３１０    前面ケース
３２０    背面ケース
２１０    ディスプレーユニット
２１２    液晶表示パネル
２１４    データ側印刷回路基板
２１６    データ側テープキャリアパッケージ
２１８    ゲート側テープキャリアパッケージ
２１９    ゲート側印刷回路基板
２１２ａ    薄膜トランジスター基盤
２１２ｂ    カラーフィルタ基板
２２５ａ    第３ランプ
２２９      安定化回路
【図１】
0004782311.tif 000004
【図２】
0004782311.tif 000005
【図３】
0004782311.tif 000006
【図４】
0004782311.tif 000007
【図５】
0004782311.tif 000008
【図６】
0004782311.tif 000009
【図７】
0004782311.tif 000010
【図８】
0004782311.tif 000011
【図９】
0004782311.tif 000012
【図１０】
0004782311.tif 000013
【図１１】
0004782311.tif 000014
【図１２】
0004782311.tif 000015
【図１３】
0004782311.tif 000016
【図１４】
0004782311.tif 000017
【図１５】
0004782311.tif 000018
【図１６】
0004782311.tif 000019
【図１７】
0004782311.tif 000020
【図１８】
0004782311.tif 000021
【図１９】
0004782311.tif 000022
【図２０】
0004782311.tif 000023
【図２１】
0004782311.tif 000024
【図２２】
0004782311.tif 000025
【図２３】
0004782311.tif 000026
【図２４】
0004782311.tif 000027
【図２５】
0004782311.tif 000028